(57)【要約】【課題】リニアガイドのスライダ抜け止め用ストッパーとして、寸法の異なる複数種の案内レールに使用でき、取り付け、取り外しが簡単で、案内レールに傷が生じ難いものを提供する。【解決手段】このストッパーは、１対の挟持部材５とねじりバネ６と枢軸７とでクリップ状に組み立てられたものである。挟持部材５は、案内レール１の側面に形成された転動溝１１ｂに嵌まる溝嵌合部５１と、これに連続して案内レールの幅方向外側に延びた後に屈曲して案内レールの上側に向かう腕部５２と、これに連続してねじりバネ６を配置する開口部および枢軸７を通す貫通穴５３ａを有する連結部５３と、腕部５２に設けた摘み部５４と、からなる。【選択図】図１
2008169962.tif 000002
【特許請求の範囲】
【請求項１】
リニアガイドの案内レールに取り付けて、スライダが案内レールから外れることを防止するストッパーであって、
１対の挟持部材とねじりバネと枢軸とでクリップ状に組み立てられ、
挟持部材は、案内レールの側面に形成された転動溝に嵌まる溝嵌合部と、これに連続して案内レールの幅方向外側に延びた後に屈曲して案内レールの上側に向かう腕部と、これに連続してねじりバネを配置する開口部および枢軸を通す貫通穴を有する連結部と、腕部に設けた摘み部と、からなることを特徴とするストッパー。
【発明の詳細な説明】
【技術分野】
【０００１】
この発明は、リニアガイドの案内レールに取り付けて、スライダが案内レールから外れることを防止するストッパーに関する。
【背景技術】
【０００２】
リニアガイドは、図２に示すように、案内レール１とスライダ２と複数個の転動体３とを備えている。案内レール１には、基台等の被取付部にボルトを用いて取り付けるための取り付け穴４が形成されている。
案内レール１およびスライダ２は、互いに対向配置されて転動体３の転動通路を形成する転動溝１１，２１を有する。スライダ２は、転動体３の戻し通路２２と、この戻し通路２２と前記転動通路とを連通させる方向転換路を有する。そして、前記転動通路、戻し通路、および方向転換路で転動体の循環経路が構成され、この循環経路内を転動体３が循環することにより、案内レール１およびスライダ２の一方が他方に対して相対的に直線運動する。
【０００３】
このようなリニアガイド装置では、搬送時や取り付け時にスライダが案内レールから外れることを防止する必要がある。下記の特許文献１および２には、そのために使用されるストッパーが提案されている。
特許文献１のストッパーは、弾性材料からなる一枚の帯状板材を、正面形状が略Ｍ形で、その両脚部の下端に案内レール側面の転動溝に嵌まる凸弧状の溝嵌合部を有する形状に成形したものである。また、中央のＶ字状凹陥部の底部下面に、下方へ突出した係止部が形成されている。
【０００４】
このストッパーを案内レールに取り付ける際には、ストッパの各溝嵌合部を案内レール各側面の転動溝に嵌めて、係止部を案内レールの上面に弾接させた後に、この係止部を案内レール上面のボルト取り付け穴に押し込み、係止部外側の底部下面を取り付け穴の周縁部に弾接させている。
特許文献２のストッパーは、弾性材料からなる一枚の帯状板材を、正面形状が略倒Ｃ字形で、その両端に案内レール側面の転動溝に嵌まる係止脚を有する形状に成形したものである。係止脚の間隔は、案内レール側面の両転動溝の間隔より小さく形成され、略倒Ｃ字形部分の上下方向の寸法は、取り付け時に、略倒Ｃ字形部分の内面の一部が、案内レール上面に弾接される寸法にされている。
【０００５】
このストッパーを案内レールに取り付ける際には、ストッパーの両係止脚を拡げて案内レールの上面から垂直に押し込む。これにより、係止脚が、案内レールの側面に沿って下方に移動した後に、弾性変形状態で転動溝に嵌まり、略倒Ｃ字形部分の内面の一部が案内レール上面に弾接される。
【特許文献１】特開平４−３６６０１５号公報
【特許文献２】実開平５−２７３３７号公報
【発明の開示】
【発明が解決しようとする課題】
【０００６】
しかしながら、上記特許文献１のストッパーは、寸法の異なる複数種の案内レールに対応できない。また、取り付けの際に案内レールに傷ができる恐れがある。
特許文献２のストッパーは、一定範囲であれば寸法の異なる複数種の案内レールに対応できるが、取り付けの際に案内レールに傷ができる恐れがある。
本発明の課題は、リニアガイドのスライダ抜け止め用ストッパーとして、寸法の異なる複数種の案内レールに使用でき、取り付け、取り外しが簡単で、案内レールに傷が生じ難いものを提供することである。
【課題を解決するための手段】
【０００７】
上記課題を解決するために、本発明は、リニアガイドの案内レールに取り付けて、スライダが案内レールから外れることを防止するストッパーであって、１対の挟持部材とねじりバネと枢軸とでクリップ状に組み立てられ、挟持部材は、案内レールの側面に形成された転動溝に嵌まる溝嵌合部と、これに連続して案内レールの幅方向外側に延びた後に屈曲して案内レールの上側に向かう腕部と、これに連続してねじりバネを配置する開口部および枢軸を通す貫通穴を有する連結部と、腕部に設けた摘み部と、からなることを特徴とするストッパーを提供する。
【０００８】
本発明のストッパーを取り付ける際には、案内レールの上側で、摘み部を持ってねじりバネを弾性変形させて溝嵌合部間を案内レールの幅より大きく開き、この状態で下方に移動して、溝嵌合部を案内レールの転動溝に合わせてから、摘み部に加えた力を解除する。これにより、ねじりバネの弾性復元力で、挟持部材の溝嵌合部が案内レールの転動溝に固定され、腕部の上側部分と連結部が案内レールの上側に配置される。
よって、本発明のストッパーは、特許文献１および２のストッパーよりも、取り付け、取り外しが簡単で、案内レールに傷が生じ難い。また、溝嵌合部同士が開く間隔の範囲内で、寸法の異なる複数種の案内レールに使用できる。
【発明の効果】
【０００９】
本発明のリニアガイドのスライダ抜け止め用ストッパーは、寸法の異なる複数種の案内レールに使用でき、特許文献１および２のストッパーよりも、取り付け、取り外しが簡単で、案内レールに傷が生じ難い。
【発明を実施するための最良の形態】
【００１０】
以下、本発明の実施形態について説明する。
図１を用いて、本発明のストッパーの実施形態を説明する。
図１（ａ）は、このストッパーを案内レールに取り付けた状態を示す正面図であり、図１（ｂ）はその平面図である。
このストッパーは、１対の挟持部材５と、ねじりバネ６と、枢軸７と、からなる。
案内レール１には、上側角部に上側転動溝１１ａが、側面に下側転動溝１１ｂが形成されている。
【００１１】
挟持部材５は、下側転動溝１１ｂに嵌まる溝嵌合部５１と、腕部５２と、連結部５３と、摘み部５４と、からなる。
この挟持部材５は、短冊形の板を長さ方向１／３程度の位置で８０°程度に折り曲げ、その先端を下側転動溝１１ｂの断面円弧より小さい円弧状に曲げ、反対側の端部の幅方向両端に、この板面と直交する配置で、一対の板状の連結部５３を連続させ、連結部５３の近くの腕部５２から、板状の摘み部５４を立ち上げた形状である。連結部５３の板面の中心に、枢軸７を通す貫通穴５３ａが形成されている。連結部５３の内側面５３ｂと腕部５２の端面５２ａが、連結部５３の開口部を形成する。
【００１２】
この挟持部材５は、合成樹脂の射出成形により一体物として、あるいは、金属板のプレス加工物を溶接により結合することで、あるいは、金属製の連結部５３に合成樹脂製の腕部５２と摘み部５４を一体成形することで作製される。
このストッパーを組み立てる際には、２つの挟持部材５の各連結部５３の内側面５３ｂと外側面を接触させて係合することで、両連結部５３の対向する内側面５３ｂと、両腕部５２の端面５２ａで囲まれた空間Ａを形成する。そして、この空間Ａに、ねじりバネ６を配置して、その一端を一方の挟持部材５の端面５２ａに当て、他端を他方の挟持部材５の端面５２ａに当てるとともに、全ての連結部５３に設けた貫通穴５３ａとねじりバネ６の内部に枢軸７が貫通した状態とする。これにより、クリップ状に組み立てられたストッパーが得られる。
【００１３】
このストッパーを案内レール１に取り付ける際には、案内レール１の上側で、摘み部５４を持ってねじりバネ６を弾性変形させて、溝嵌合部５１間を案内レール１の幅より大きく開き、この状態で下方に移動して、溝嵌合部５１を案内レール１の下側転動溝１１ｂに接触させてから、摘み部５４に加えた力を解除する。これにより、ねじりバネ６の弾性復元力で、挟持部材５の溝嵌合部５１が案内レール１の下側転動溝１１ｂに固定され、腕部５２の上側部分と連結部５３が案内レール１の上側に配置される。
【００１４】
このストッパーを案内レール１から外す際には、摘み部５４を持ってねじりバネ６を弾性変形させて、溝嵌合部５１間を案内レール１の幅より大きく開くことで、溝嵌合部５１を案内レール１の下側転動溝１１ｂから外してから、この状態で上方に移動して、案内レール１に接触しない位置で、摘み部５４に加えた力を解除する。
よって、このストッパーは、特許文献１および２のストッパーよりも、取り付け、取り外しが簡単で、案内レール１に傷が生じ難い。また、溝嵌合部５１同士が開く間隔の範囲内で、寸法の異なる複数種の案内レールに使用できる。
【図面の簡単な説明】
【００１５】
【図１】本発明の実施形態のストッパーを案内レールに取り付けた状態を示す正面図（ａ）と、平面図（ｂ）である。
【図２】リニアガイドを示す部分断面斜視図である。
【符号の説明】
【００１６】
１  案内レール
２  スライダ
１１  転動溝
１１ａ  上側転動溝
１１ｂ  下側転動溝
２１  転動溝
２２  戻し通路
３  転動体
４  取り付け穴
５  挟持部材
５１  溝嵌合部
５２  腕部
５２ａ  腕部の端面
５３  連結部
５３ａ  貫通穴
５３ｂ  連結部の内側面
５４  摘み部
６  ねじりバネ
７  枢軸
【図１】
2008169962.tif 000003
【図２】
2008169962.tif 000004